(57)【要約】【課題】  ＣＩＰ洗浄において効率良く残存フレーバーを除去でき、洗浄後に溶剤臭が殆ど残存しないＣＩＰ用洗浄剤組成物を提供する。【解決手段】  アルキルポリグリコシド、アルキルグリセリルエーテル及びポリオキシアルキレンアルキルアミンから選ばれる１種以上の非イオン界面活性剤（Ａ）並びに水を含有するＣＩＰ用洗浄剤組成物。【選択図】  なし【特許請求の範囲】
【請求項１】
アルキルポリグリコシド、アルキルグリセリルエーテル及びポリオキシアルキレンアルキルアミンから選ばれる１種以上の非イオン界面活性剤（Ａ）並びに水を含有するＣＩＰ用洗浄剤組成物。
【請求項２】
アルキルポリグリコシド、アルキルグリセリルエーテル及びポリオキシアルキレンアルキルアミンから選ばれる１種以上の非イオン界面活性剤（Ａ）並びに水を含有する洗浄媒体（Ｉ）を被洗浄物に接触させる工程（１）を含むＣＩＰ洗浄方法。
【発明の詳細な説明】
【技術分野】
【０００１】
本発明は、ＣＩＰ用洗浄剤組成物及びＣＩＰ洗浄方法に関する。詳しくは、食品、飲料工場等の製造設備や製造機器類の洗浄に使用するＣＩＰ用洗浄剤組成物及びＣＩＰ洗浄方法に関する。
【背景技術】
【０００２】
食品工場、飲料工場等では、生産品種切り替え時や操業終了時等にその製造設備や機器類の洗浄を行っているが、配管、タンク等の取り外し洗浄が困難な個所に関してはＣＩＰ洗浄（定置洗浄）を行っている。このＣＩＰ洗浄とは、Cleaning in placeの頭文字を取った言葉で、装置を分解することなく洗浄剤を流すことにより洗浄する方法である。
【０００３】
ＣＩＰ洗浄は食品工場や飲料工場等で幅広く使われている。中でも飲料工場では、生産品種切り替え時等において、前の充填物が製造ラインに残存しないよう、また前の充填物に配合されているフレーバーが次の充填物に混入しないよう、十分に洗浄することが重要である。
【０００４】
このため食品工場等では、時間をかけてＣＩＰ洗浄を行っているが、特に製造ライン中、配管連結部などのパッキン部（シール部）にはフレーバーが残りやすく、フレーバーを十分に除去するためには大きな労力を要する。
【０００５】
また、近年、生産速度の上昇や飲料品種の増加により、切り替え頻度が高くなりＣＩＰ工程の時間ロスが生産性を著しく低下させる原因となっている。
【０００６】
従来、ＣＩＰ洗浄では、製造設備や製造機器類の配管内部等の汚れに応じて、アルカリ洗浄、酸洗浄、これらを併用した洗浄が適宜行われているが、洗浄効率を高めるために、次亜塩素酸塩、イソシアヌール酸塩、過炭酸塩、過ホウ酸塩などの酸化剤を用いるケースもある。しかし、それでも十分な脱臭効果が得られておらず、使用状況によっては機器の損傷が発生する場合もある。
【０００７】
このような状況から、ＣＩＰ洗浄における洗浄効率、フレーバー除去効率を更に向上させるための技術が提案されている。例えば、特許文献１には特定の非イオン界面活性剤を用いて脱臭洗浄を行う技術が開示されているが、この方法をもってしてもフレーバー除去は十分でない。
【特許文献１】特開２００３−４９１９３号公報
【発明の開示】
【発明が解決しようとする課題】
【０００８】
上記の状況を鑑み、本発明の目的は現在行われているＣＩＰ工程において効率良く残存フレーバーを除去でき、洗浄後に溶剤臭が殆ど残存しないＣＩＰ洗浄剤組成物及びＣＩＰ洗浄方法を提供することにある。
【課題を解決するための手段】
【０００９】
本発明は、アルキルポリグリコシド、アルキルグリセリルエーテル及びポリオキシアルキレンアルキルアミンから選ばれる１種以上の非イオン界面活性剤（Ａ）並びに水を含有するＣＩＰ用洗浄剤組成物に関する。
【００１０】
また、本発明は、アルキルポリグリコシド、アルキルグリセリルエーテル及びポリオキシアルキレンアルキルアミンから選ばれる１種以上の非イオン界面活性剤（Ａ）〔以下、（Ａ）成分という〕並びに水を含有する洗浄媒体（Ｉ）を被洗浄物に接触させる工程（１）を含むＣＩＰ洗浄方法に関する。
【発明の効果】
【００１１】
本発明によれば、ＣＩＰ洗浄において、効率良くフレーバーが除去でき、洗浄後も溶剤臭が殆どせず、従来より洗浄時間の短縮が可能となる。
【発明を実施するための最良の形態】
【００１２】
＜（Ａ）成分＞
本発明の（Ａ）成分は、アルキルポリグリコシド、アルキルグリセリルエーテル及びポリオキシアルキレンアルキルアミンから選ばれる１種以上の非イオン界面活性剤であり、特にアルキルポリグリコシド、アルキルグリセリルエーテルから選ばれる１種以上の非イオン界面活性剤が好ましい。
【００１３】
アルキルポリグリコシドとしては、アルキル基の炭素数は３〜３０が好ましく、特に４〜２４、更に特に５〜２０が好ましい。また、グルコース等の単糖の平均縮合度は１〜１０が好ましく、特に１〜５、更に特に１〜３が好ましい。アルキルポリグリコシドの中では構成糖がグルコースであるアルキルポリグルコシドが好ましい。
【００１４】
アルキルグリセリルエーテルとしては、アルキル基の炭素数は３〜３０が好ましく、特に４〜２４、更に特に５〜２０が好ましい。
【００１５】
ポリオキシアルキレンアルキルアミンとしては、アルキル基の炭素数は３〜３０が好ましく、特に４〜２４、更に特に５〜２０が好ましい。また、ポリオキシアルキレンのアルキレン基として、炭素数２〜４が好ましく、特に２〜３、更に特に２が好ましい。また、ポリオキシアルキレンの平均付加モル数としては、２〜２０が好ましく、特に２〜１５、更に特に２〜１０が好ましい。
【００１６】
（Ａ）成分の具体例としては、ｎ−オクチルポリグルコシド、イソ−オクチルポリグルコシド、ｎ−ノニルポリグルコシド、ｎ−デシルポリグルコシド、イソ−デシルポリグルコシド、ｎ−ドデシルポリグルコシド、イソ−ドデシルポリグルコシド、イソ−トリデシルポリグルコシド、ｎ−テトラデシルポリグルコシド、イソ−テトラデシルポリグルコシド、ｎ−ヘキサデシルポリグルコシド、イソ−ヘキサデシルポリグルコシド、ｎ−オクタデシルポリグルコシド、イソ−オクタデシルポリグルコシド等のアルキルポリグリコシド；ｎ−オクチルグリセリルエーテル、イソ−オクチルグリセリルエーテル（２−エチルヘキシルグリセリルエーテル等）、ｎ−ノニルグリセリルエーテル、ｎ−デシルグリセリルエーテル、イソ−デシルグリセリルエーテル、ｎ−ドデシルグリセリルエーテル、イソ−ドデシルグリセリルエーテル、イソ−トリデシルグリセリルエーテル、ｎ−テトラデシルグリセリルエーテル、イソ−テトラデシルグリセリルエーテル、ｎ−ヘキサデシルグリセリルエーテル、イソ−ヘキサデシルグリセリルエーテル、ｎ−オクタデシルグリセリルエーテル、イソ−オクタデシルグリセリルエーテル等のアルキルグリセリルエーテル；ポリオキシエチレンｎ−オクチルアミン、ポリオキシエチレンイソ−オクチルアミン、ポリオキシエチレン−ポリオキシプロピレンｎ−デシルアミン、ポリオキシエチレンイソ−デシルアミン、ポリオキシエチレンｎ−ドデシルアミン、ポリオキシエチレンイソ−ドデシルアミン、ポリオキシエチレンイソ−トリデシルアミン、ポリオキシエチレンｎ−テトラデシルアミン、ポリオキシエチレンイソ−テトラデシルアミン、ポリオキシエチレンｎ−ヘキサデシルアミン、ポリオキシエチレンイソ−ヘキサデシルアミン、ポリオキシエチレンｎ−オクタデシルアミン、ポリオキシエチレンイソ−オクタデシルアミン等のポリオキシアルキレンアルキルアミンが挙げられる。アルキルポリグリコシドとしては、ｎ−デシルポリグルコシド、イソ−デシルポリグルコシド、ｎ−ドデシルポリグルコシド、イソ−ドデシルポリグルコシド、イソ−トリデシルポリグルコシド、ｎ−テトラデシルポリグルコシド、イソ−テトラデシルポリグルコシド、アルキルグリセリルエーテルとしては、ｎ−オクチルグリセリルエーテル、イソ−オクチルグリセリルエーテル、ｎ−ノニルグリセリルエーテル、ｎ−デシルグリセリルエーテル、イソ−デシルグリセリルエーテル、ｎ−ドデシルグリセリルエーテル、イソ−ドデシルグリセリルエーテル、イソ−トリデシルグリセリルエーテル、ｎ−テトラデシルグリセリルエーテル、イソ−テトラデシルグリセリルエーテルが好ましい。これらにおいて、「ｎ−」は直鎖であることを、「イソ−」は分岐鎖を有することを意味する（以下同様）。
【００１７】
また、脱臭性の観点から、（Ａ）成分は、２５℃の水への溶解度が０．０１〜５０重量％であるものが好ましく、特に０．０１〜３０重量％、更に特に０．０１〜１０重量％が好ましい。ここで言う溶解度は、２５℃の水の中に（Ａ）成分を添加してゆき、均一相で外観を透明に維持できる最大濃度〔水１００ｇに対する（Ａ）成分の重量（ｇ）：単位は重量％〕を示す。また、洗浄基剤の残留性の低減の観点から、上記溶解度が０．０１〜１０重量％の（Ａ）成分〔（Ａ１）成分〕と、上記溶解度が１０重量％を超える（Ａ）成分〔（Ａ２）成分〕とを併用する事が好ましい。その場合、（Ａ１）／（Ａ２）＝１０／９０〜９０／１０、４０／６０〜８０／２０の重量比が好ましい。
【００１８】
＜ＣＩＰ用洗浄剤組成物＞
本発明のＣＩＰ用洗浄剤組成物は、（Ａ）成分を０．０１〜５０重量％及び残部の水を含有する。かかる組成物の調製に用いられる濃厚原液として、（Ａ）成分単独あるいは（Ａ）成分と相溶する有機溶剤の混合物が挙げられる。当該濃厚原液中の（Ａ）成分の含有量としては、経済的な観点から１〜１００重量％であり、好ましく１０〜１００重量％である。特に好ましくは２０〜１００重量％である。また、当該濃厚原液中の水の含有量は、０〜９９重量％であり、好ましくは０〜９０重量％である。特に好ましくは０〜８０重量％である。
【００１９】
本発明では、（Ａ）成分としてアルキルポリグリコシド、アルキルグリセリルエーテル及びポリオキシアルキレンアルキルアミンから選ばれる少なくとも１種、好ましくはアルキルポリグリコシド及びアルキルグリセリルエーテルから選ばれる少なくとも１種の非イオン界面活性剤を用い、これらを水と組み合わせることで更に洗浄効果が向上する。
【００２０】
本発明には、（Ａ）成分以外に必要に応じてアニオン界面活性剤、カチオン界面活性剤、両性界面活性剤、消泡剤、防錆剤、キレート剤、水溶性溶剤、無機塩類、非水溶性溶剤等を添加して使用することができる。
【００２１】
本発明のＣＩＰ用洗浄剤組成物は、非水系溶剤、水性溶剤、水等で希釈した洗浄液としてＣＩＰ洗浄に用いられる。希釈媒体は、経済性、安全性の観点から水が好ましい。希釈した該洗浄液は、洗浄性と経済性の観点から（Ａ）成分の濃度が０．０１〜２０重量％が好ましく、より好ましくは０．１〜１０重量％、特に好ましくは０．５〜５重量％である。
【００２２】
＜ＣＩＰ洗浄方法＞
本発明のＣＩＰ用洗浄剤組成物は、上記の通り、希釈した洗浄液としてＣＩＰ洗浄に用いられるのが好ましい。該洗浄液は、１０℃〜９８℃の範囲で、ＣＩＰ洗浄における被洗浄物である配管内及び各種機器等と接触するように循環させ洗浄することが好ましい。また、配管内を流れる洗浄液の流速としては、０．５〜５ｍ／秒、更に１〜３ｍ／秒が好ましい。
【００２３】
また、本発明では、（Ａ）成分及び水を含有する洗浄媒体（Ｉ）を被洗浄物に接触させる工程（１）を含むＣＩＰ洗浄方法を行うことができる。（Ａ）成分としては前記のものが使用される。
【００２４】
この場合、洗浄媒体（Ｉ）は、本発明の洗浄剤組成物を希釈して得られた洗浄液が好ましい。洗浄媒体（Ｉ）において、（Ａ）成分の濃度は０．０１〜２０重量％、更に０．１〜１０重量％、特に０．５〜５重量％が好ましい。
【００２５】
例えば、飲料プラントにおけるＣＩＰ洗浄は、（ａ）湯洗→（ｂ）アルカリ洗浄→（ｃ）湯洗→（ｄ）酸洗浄→（ｅ）湯洗が行われ、最後の（ｅ）湯洗の後に、必要に応じて、更に次亜塩素酸塩による洗浄と湯洗が行われることがある。上記工程（１）はこのような洗浄工程の何れかで行われば良く、具体的には上記（ａ）〜（ｅ）の何れかの工程の前及び／又は後に、あるいは何れかの工程と置換して、あるいは何れかの工程と同時に、行うことができる。工程（１）は（ａ）〜（ｅ）の工程間であれば単独或いは各工程と同時に行うことができるが、ＣＩＰ総時間を考えると（ａ）〜（ｅ）のどれかの工程と同時に行うことが好ましい。なお、工程（１）は、複数行っても良い。
【実施例】
【００２６】
実施例中、％及び部は特に記載しない限りそれぞれ重量％及び重量部である。
【００２７】
実施例1
表１に示す組成でＣＩＰ用洗浄剤組成物を調製した。それらを用いて、下記の方法で脱臭性と基剤臭の試験を行った。結果を表１に示す。比較品１−１として、洗浄媒体（Ｉ）を用いずに、後述する（ａ）〜（ｅ）の洗浄工程を行った結果を示す。
【００２８】
（１）被試験体
パッキンと同一素材のＥＰＤＭ（エチレン・プロピレン・ジエン・ゴム）シート（大阪サニタリー金属工業協同組合）を５ｃｍ×０．５ｃｍ（厚さ２ｍｍ）に裁断、試験ピースとした。上記試験ピースを市販飲料（桃の天然水：ＪＴ社製）に７０℃、２時間浸績したものを被試験体とした。
【００２９】
（２）試験方法
表１の組成物（洗浄媒体（Ｉ）：有効分換算で１．０ｇ）を、それぞれ１００ｃｃのスクリュー管に入れた後、工程（ａ）あるいは工程（ｃ）で使用する場合は水を、工程（ｂ）で使用する場合は所定量のＮａＯＨと水とを、工程（ｄ）で使用する場合は所定量のＨＮＯ3と水とを加え、それぞれ合計１００ｇとしたものを用意しておく。なお、スクリュー管中の内容物は、８０℃でマグネティックスターラーにより攪拌した。
【００３０】
工程（ａ）で組成物を使用する場合は、被試験体１枚を、上記で調製した組成物を含む希釈液を入れたスクリュー管に投入して、以下の工程を行った。また、工程（ｂ）で組成物を使用する場合は、湯洗１による工程（ａ）を終えた被試験体１枚を、上記で調製した組成物とＮａＯＨを含む希釈液を入れたスクリュー管に投入して、以下の工程を行った。工程（ｃ）で組成物を使用する場合は、湯洗１による工程（ａ）、アルカリ洗浄による工程（ｂ）を終えた被試験体１枚を、上記で調製した組成物を含む希釈液を入れたスクリュー管に投入して、以下の工程を行った。工程（ｄ）で組成物を使用する場合は、湯洗１による工程（ａ）、アルカリ洗浄による工程（ｂ）、湯洗２よる工程（ｃ）を終えた被試験体１枚を、上記で調製した組成物とＨＮＯ3を含む希釈液を入れたスクリュー管に投入して、以下の工程を行った。一連の洗浄工程後の試験ピース１枚を８０℃のイオン交換水５０ｇ入れた１００ｃｃのスクリュー管に３０秒間浸漬させた後引き上げる。この水を評価用サンプルとした。
【００３１】
（洗浄工程）
（ａ）湯洗１：８０℃、２０分浸漬攪拌
（ｂ）アルカリ洗浄：２％ＮａＯＨ水溶液、８０℃、２０分浸漬攪拌
（ｃ）湯洗２８０℃、２０分浸漬攪拌
（ｄ）酸洗浄：０．６％ＨＮＯ3水溶液、２０分浸漬攪拌
（ｅ）湯洗３８０℃、２０分浸漬攪拌
【００３２】
（３）評価方法
６名のパネラーにより試験ピースのフレーバー臭及び基剤臭について５段階評価を実施した。その点数が少ないほど脱臭効果に優れているといえる。６名のパネラーによる評価点の平均値を「臭い残留度」として評価とした。判断基準は下記の通りである。
【００３３】
（評価点と判定基準）
５：強く臭いを感じる
４：かなり臭いを感じる
３：やや臭いを感じる
２：かすかに臭いを感じる
１：臭いを感じない
【００３４】
【表１】
2005314580.tif 000002
【００３５】
＊１ 非イオン界面活性剤Ａ：アルキルポリグルコシド〔花王（株）製、マイドール１０〕
＊２ 非イオン界面活性剤Ｂ：アルキルポリグルコシド〔花王（株）製、マイドール１２〕
＊３ 非イオン界面活性剤Ｃ：アルキルグリセリルエーテル〔花王（株）製、２−エチルヘキシルグリセリルエーテル〕
＊４ 非イオン界面活性剤Ｄ：アルキルグリセリルエーテル〔花王（株）製、イソ−デシルグリセリルエーテル〕
＊５ 非イオン界面活性剤Ｅ：ポリオキシエチレンヤシアルキルアミン〔花王（株）製、アミート１０２〕
＊６ 非イオン界面活性剤Ｆ：ポリオキシエチレンモノオレート〔花王（株）製、エマノーン４１１０〕
＊７ 非イオン界面活性剤Ｇ：ポリオキシエチレンラウリルエーテル〔花王（株）製、エマルゲン１０９Ｐ〕
＊８ 非イオン界面活性剤Ｈ：ポリオキシエチレンソルビタントリオレート〔花王（株）製、レオドールＴＷＯ３２０〕